(57)【要約】      （修正有）【課題】横架材からの横方向のズレに対し、優れた耐力性を具える吊りボルト支持金具を提供する。【解決手段】形鋼等の横架材Ｈに取り付けられる吊りボルト支持金具１であって、引掛部材２と締付ボルト３とから成り、表面に滑り止め加工が施された平面部と該平面部の裏側所定箇所に前記締付ボルト３が螺挿可能な螺嵌部とを備えて成る防滑部材４が、前記締付ボルト３の先端部に螺着された構成となっている。また、引掛部材２における防滑部材４の平面部と対向する箇所に設けられる引掛片２ｂに、滑り止め加工が施されている構成も採り得る。【選択図】図３
0003170569.tif 000002
【実用新案登録請求の範囲】
【請求項１】
形鋼等の横架材に取り付けられる吊りボルト支持金具であって、
引掛部材と、締付ボルトと、から成り、
表面に滑り止め加工が施された平面部と該平面部の裏側所定箇所に前記締付ボルトが螺挿可能な螺嵌部とを備えて成る防滑部材が、前記締付ボルトの先端部に螺着されてなることを特徴とする吊りボルト支持金具。
【請求項２】
前記吊りボルト支持金具において、
前記引掛部材における前記防滑部材の平面部と対向する箇所に設けられる引掛片に、滑り止め加工が施されていることを特徴とする請求項１に記載の吊りボルト支持金具。
【考案の詳細な説明】
【技術分野】
【０００１】
本考案は、形鋼等に取り付けられる吊りボルト支持金具に関し、詳しくは、滑り止め構造を備える吊りボルト支持金具に関するものである。
【背景技術】
【０００２】
従来より、電線管やケーブル、照明器具などの種々の物体を支持すべく、吊りボルト支持金具が用いられる。この種の吊りボルト支持金具としては、略Ｃ字状の引掛部材をＬ型鋼などの横架材に締付ボルトによって固定するもので、該引掛部材に備えられた取付用部に支持ボルトやその他の取付補助具を取り付け、その先に種々の物体が支持される。
【０００３】
かかる吊りボルト支持金具は、高い位置にある横架材に固定されていることから、地震などが起こった際に落下の危険が考えられる。すなわち、締付ボルトによる締め付けが不充分であったり、あるいは、締め付けが充分であってもなお元来的に締付強度に不安があるため、横架材から引掛部材がズレ落ちる可能性があり、その場合に下方にいる人に危害が加わる危険がある。
【０００４】
かかる危険を回避すべく、引掛部材に滑り止め加工が施された吊りボルト支持金具は存在する。これは、横架材と接触する引掛片に凹凸加工が施されたものであって、かかる引掛片が線状若しくは平面状であるものと比し、確かにズレに対する耐力性向上に資するものである。しかしながら、引掛部材自体の構造変更を伴うものであるため、金型変更など製造段階におけるコスト負担を強いるものであり、また、地震等の揺れによって締付ボルトによる締め付けが緩んでしまった場合には、それほど効果を奏しないものであった。
【０００５】
【特許文献１】特開２００９−１０３３０２号公報
【特許文献２】特開２００３−３４３５２０号公報
【考案の開示】
【考案が解決しようとする課題】
【０００６】
そこで、本考案は、上記事情に鑑みてなされたものであり、横架材からの横方向のズレに対し、優れた耐力性を具える吊りボルト支持金具を提供することを課題としている。
【課題を解決するための手段】
【０００７】
このような課題を解決するために、本考案の請求項１に係る吊りボルト支持金具は、引掛部材と締付ボルトとから成り、表面に滑り止め加工が施された平面部と該平面部の裏側所定箇所に前記締付ボルトが螺挿可能な螺嵌部とを備えて成る防滑部材が、前記締付ボルトの先端部に螺着されてなる構成となっている。
【０００８】
また、本考案の請求項２に係る吊りボルト支持金具は、前記引掛部材における前記防滑部材の平面部と対向する箇所に設けられる引掛片に、滑り止め加工が施されている構成を採用している。
【考案の効果】
【０００９】
本考案に係る吊りボルト支持金具によれば、締付ボルトの先端部に、表面に滑り止め加工が施された平面部を備える防滑部材が螺着されていることから、地震等の揺れが起こっても締付ボルト自体の緩みが生じ難くなり、したがって締付ボルトによる充分な締め付けが維持されることとなり、また、防滑部材の平面部に施された滑り止め加工自体が、引掛部材のズレに対する耐力性を発揮するため、相乗的に引掛部材のズレ落ち防止に優れた効果を発揮する。
【００１０】
また、本考案に係る吊りボルト支持金具によれば、引掛部材における引掛片に滑り止め加工を施こすことで、防滑部材とともに滑り止め加工が施された部分によって横架材を上下で挟み込む状態となるため、さらに引掛部材のズレ落ち防止に相乗効果を発揮することとなる。
【図面の簡単な説明】
【００１１】
【図１】本考案に係る吊りボルト支持金具の実施形態を示す斜視図である。（実施例１）
【図２】本考案に係る吊りボルト支持金具の要部を示す側断面図である。（実施例１）
【図３】本考案に係る吊りボルト支持金具の使用態様を示す側面図である。（実施例２）
【図４】本考案に係る吊りボルト支持金具の実施形態を示す側面図である。（実施例３）
【考案を実施するための最良の形態】
【００１２】
以下、本考案に係る吊りボルト支持金具１の実施形態について、図面を参照しながら説明する。
なお、本考案は、下記の実施形態に示した構成に特に限定されるものではなく、本考案の技術的思想の要旨に逸脱しない範囲で、任意に変更することができるものである。
【実施例１】
【００１３】
図１は、本考案に係る吊りボルト支持金具１の実施形態を示す斜視図である。また、図２は、本考案に係る吊りボルト支持金具１の要部を示す側断面図である。
該吊りボルト支持金具１は、引掛部材２と、締付ボルト３と、から構成されている。
【００１４】
引掛部材２は、略Ｃ字状構造となっており、すなわち、略垂直状の胴体部２ａの上端部に略水平方向に延伸する引掛片２ｂを有するとともに、該胴体部２ａの下端部に略水平方向に延伸する締付ボルト螺挿片２ｃを有する構造となっている。
なお、該引掛部材２の材質については、特に限定するものではないが、一般的には金属製であって、例えばステンレス鋼や、それに亜鉛メッキを施したものによって作られる。
【００１５】
引掛片２ｂは、吊りボルト支持金具１を横架材Ｈに取り付ける際に、該横架材Ｈに接触する部分であって、その形状について任意に決定することができる。すなわち、横架材Ｈと線接触するように形状構成したり、あるいは、面接触するように形状構成する態様が可能である。
【００１６】
締付ボルト螺挿片２ｃは、吊りボルト支持金具１を横架材Ｈに固定するための締付ボルト３を螺挿可能なネジ孔２ｄを備えて成る。締付ボルト螺挿片２ｃの形状については、前記引掛片２ｂ同様、任意に決定することができるが、該ネジ孔２ｄを備えるべく、少なくとも板状構造部分を有することとなる。
【００１７】
なお、引掛部材２について、上記構成のほか、胴体部２ａや引掛片２ｂ、締付ボルト螺挿片２ｃにおける任意の箇所には、吊りボルト等が取り付け可能な取付機構２ｅが備えられることとなる。
【００１８】
締付ボルト３は、前記引掛部材２を横架材Ｈに引っ掛けた状態で固定するためのものであって、略Ｃ字状構造の引掛部材２における外側から内側に向け、前記ネジ孔２ｄに螺挿される。また、該締付ボルト３の先端部には、防滑部材４が螺着されている。
該締付ボルト３の材質については特に限定するものではないが、前記引掛部材２同様、一般的には金属製であって、例えばステンレス鋼によって作られる。
【００１９】
防滑部材４は、表面に滑り止め加工が施された平面部４ａを有している。このとき、滑り止め加工の態様については特に限定はなく、例えば逆Ｖ字状の凸線を複数備える態様や、別途防滑材を塗着させる態様などが考え得る。
該防滑部材４について、平面部４ａの裏側所定箇所には、前記締付ボルト３の先端を螺挿可能な螺嵌部４ｂが備えられている。図２は、締付ボルト３の先端に防滑部材４が螺着された態様を示す側断面図である。
なお、該防滑部材４については特に限定するものではないが、前記締付ボルト３同様、一般的には金属製であって、例えば締付ボルト３と同材質であったり、あるいは、ステンレス鋼によって作られる。
【実施例２】
【００２０】
以上の通り構成される本考案に係る吊りボルト支持金具１について、次にその使用態様を説明する。図３は、本考案に係る吊りボルト支持金具１の使用態様を示す側面図である。
【００２１】
図面に示すように、引掛部材２のネジ孔２ｄに締付ボルト３が螺挿された状態において、該締付ボルト３の先端に防滑部材４が螺着されることで、本考案に係る吊りボルト支持金具１を成す。
該吊りボルト支持金具１は略Ｃ字状であって、取付対象である横架材Ｈに対し、略Ｃ字状の開口側から吊りボルト支持金具１を挿嵌する。このとき、横架材Ｈは、引掛片２ｂと防滑部材４とで挟まれた内側領域に位置することとなる。
この状態で締付ボルト３を締め付けることにより、横架材Ｈが引掛片２ｂと防滑部材４とで挟持され、吊りボルト支持金具１が固定される。
以上の工程により、横架材Ｈに対する吊りボルト支持金具１の取り付けが完了する。
【００２２】
このとき、締付ボルト３の締め付けによって、表面に滑り止め加工が施された防滑部材４の平面部４ａが、防滑作用を呈しながら横架材Ｈに接触した状態で締め付けられていることで、吊りボルト支持金具１全体のズレを防止し、落下の危険を回避することが可能となる。
【実施例３】
【００２３】
図４は、本考案に係る吊りボルト支持金具１の他の実施形態を示す側面図である。
すなわち、本実施形態に係る吊りボルト支持金具１は、前記第一の実施形態に係る吊りボルト支持金具１について、前記引掛部材２の引掛片２ｂにおける前記防滑部材４の平面部４ａと対向する箇所に、滑り止め加工２ｆが施されている態様となっている。
【００２４】
滑り止め加工２ｆの態様については特に限定はなく、引掛片２ｂが横架材Ｈと線接触するような形状構成の場合に、該線接触箇所をＶ字状波線形状に加工することで、引掛片２ｂと横架材Ｈとが点接触する態様を採り得る。また、引掛片２ｂが横架材Ｈと面接触するような形状構成の場合に、該面接触箇所に複数の凹凸を備える態様や、別途防滑材を塗着させる態様などが考え得る。
【００２５】
このように、引掛部材２における引掛片２ｂに滑り止め加工２ｆを施こすことで、防滑部材４とともに滑り止め加工が施された部分によって横架材を上下で挟み込む状態となる。これにより、上記防滑部材４のみの構成よりも、さらに引掛部材２の防滑作用を呈して、吊りボルト支持金具１のズレ・落下の危険を回避するのに、さらなる相乗効果を発揮することとなる。
【符号の説明】
【００２６】
１    吊りボルト支持金具
２    引掛部材
２ａ  胴体部
２ｂ  引掛片
２ｃ  締付ボルト螺挿片
２ｄ  ネジ孔
２ｅ  取付機構
２ｆ  滑り止め加工
３    締付ボルト
４    防滑部材
４ａ  平面部
４ｂ  螺嵌部
Ｈ    横架材
【図１】
0003170569.tif 000003
【図２】
0003170569.tif 000004
【図３】
0003170569.tif 000005
【図４】
0003170569.tif 000006